(57)【要約】【課題】  ラジアスエンドミルによりアルミニウムなどの非鉄金属を切削する際に、コーナ刃が欠損したり、切り屑が溶着したりするのを防止し、高速で高送りの切削等が適切に行えるようにする。【解決手段】  工具本体10の先端に形成された底刃11と工具本体の外周に形成された外周刃12の先端部との間に円弧状になったコーナ刃13が形成されたラジアスエンドミルにおいて、外周刃におけるねじれ角θを30〜50°の範囲にし、底刃に軸方向すくい角αが0〜15°の範囲になった平面ギャッシュからなるすくい面11aを形成すると共に、コーナ刃に外周刃との接点から底刃との接点に向かって凸曲面になったすくい面13aを形成し、このすくい面のコーナ刃の法線方向における工具本体の軸を含む面に対するすくい角βを5〜15°の範囲にした。【選択図】  図３
2006297495.tif 000002
【特許請求の範囲】
【請求項１】
工具本体の先端に形成された底刃と工具本体の外周に形成された外周刃の先端部との間に円弧状になったコーナ刃が形成されてなるラジアスエンドミルにおいて、上記の外周刃におけるねじれ角が３０〜５０°の範囲になっており、上記の底刃に軸方向すくい角が０〜１５°の範囲になった平面ギャッシュからなるすくい面が形成されると共に、上記のコーナ刃に外周刃との接点から底刃との接点に向かって凸曲面になったすくい面が形成され、このすくい面のコーナ刃の法線方向における上記の工具本体の軸を含む面に対するすくい角が５〜１５°の範囲になっていることを特徴とするラジアスエンドミル。
【請求項２】
上記の外周刃のすくい面における径方向すくい角が１０〜２５°の範囲になっていることを特徴とする請求項１に記載のラジアスエンドミル。
【発明の詳細な説明】
【技術分野】
【０００１】
本発明は、工具本体の先端に形成された底刃と工具本体の外周に形成された外周刃の先端部との間に円弧状になったコーナ刃が形成されたラジアスエンドミルに係り、特に、アルミニウムなどの非鉄金属を切削加工する場合においても、優れた切削性能が得られるようにした点に特徴を有するものである。
【背景技術】
【０００２】
従来から金属の金型加工等を行うにあたり、底刃と外周刃とを有するエンドミルを回転させながら、このエンドミルを水平方向や軸方向に移動させて切削加工することが行われている。
【０００３】
ここで、上記のようなエンドミルを用いて、高速での高送り切削や三次元の切削を行うようにした場合に、底刃と外周刃とが交差するコーナ部分が欠損しやすくなるという問題があった。
【０００４】
このため、上記のエンドミルとして、図１に示すように、工具本体１０の先端において軸心の両側に形成された一対の底刃１１と、工具本体１０の外周に設けられた一対のねじれ溝１４に沿って形成された一対の外周刃１２の先端部との間に、それぞれ円弧状になったコーナ刃１３を形成したラジアスエンドミルが広く利用されるようになった。
【０００５】
ここで、このようなラジアスエンドミルにおいては、一般に図１及び図２に示すように、上記の底刃１１とコーナ刃１３とに対して平面ギャッシュを設け、底刃１１とコーナ刃１３とに同一平面になったすくい面１１ａ，１３ａを形成するようにしていた。
【０００６】
また、近年においては、上記のようなラジアスエンドミルにより三次元の切削加工を行う場合に、コーナ刃が欠損したりするのを防止するため、上記の円弧状になったコーナ刃のすくい面における半径方向のすくい角や法線方向のすくい角を負角したものが提案されている（例えば、特許文献１及び特許文献２参照。）。
【０００７】
しかし、このようにコーナ刃のすくい面における半径方向のすくい角や法線方向のすくい角を負角にした場合、このコーナ刃における切削抵抗が大きくなると共に、切り屑も溶着しやすくなり、特に、アルミニウムなどの軟らかくて溶着しやすい非鉄金属材料を切削加工した場合には、切り屑が延びて切り屑の排出性が悪くなり、またこの切り屑が溶着して欠損が生じやすくなる等の問題があった。
【０００８】
さらに、近年においては、上記のようなラジアスエンドミルにおける切削抵抗を低減させるために、底刃のすくい角を１９〜２１°の範囲にしたものも提案されている（例えば、特許文献３参照。）。
【０００９】
しかし、このように底刃のすくい角を大きくすると、この底刃の部分を再研磨した場合に、底刃の位置が大きくずれて軸心の両側における底刃の間隔が広がってしまい、適切な切削が行えなくなるため、実際には再研磨することができなくなったり、再研磨できる回数が制限されるなどの問題があった。
【００１０】
さらに、上記のようなラジアスエンドミルにおいて、切削性を向上させると共に切り屑の排出性を高めるために、上記の外周刃のねじれ角を大きくすることも行われている。
【００１１】
しかし、このように外周刃のねじれ角を大きくした場合において、上記のコーナ刃に平面ギャッシュからなるすくい面を形成するようにした場合、このコーナ刃を適切な円弧状に形成することができず、このコーナ刃の強度が低下したり、切削面の精度が悪くなる等の問題があった。
【特許文献１】特開平１１−２１６６０９号公報
【特許文献２】特開２００３−７１６２６号公報
【特許文献３】特開２０００−７１６号公報
【発明の開示】
【発明が解決しようとする課題】
【００１２】
本発明は、工具本体の先端に形成された底刃と工具本体の外周に形成された外周刃の先端部との間に円弧状になったコーナ刃が形成されたラジアスエンドミルにおける上記のような様々な問題を解決することを課題とするものであり、特に、アルミニウムなどの非鉄金属を切削加工する場合においても、コーナ刃が欠損したり、切り屑が溶着したりするのが防止されて、高速での高送り切削や三次元の切削加工等が適切に行えるようにすることを課題とするものである。
【課題を解決するための手段】
【００１３】
本発明においては、上記のような課題を解決するため、工具本体の先端に形成された底刃と工具本体の外周に形成された外周刃の先端部との間に円弧状になったコーナ刃が形成されてなるラジアスエンドミルにおいて、上記の外周刃におけるねじれ角を３０〜５０°の範囲にし、上記の底刃に軸方向すくい角が０〜１５°の範囲になった平面ギャッシュからなるすくい面を形成すると共に、上記のコーナ刃に外周刃との接点から底刃との接点に向かって凸曲面になったすくい面を形成し、このすくい面のコーナ刃の法線方向における上記の工具本体の軸を含む面に対するすくい角を５〜１５°の範囲にした。
【００１４】
また、本発明におけるラジアスエンドミルにおいては、上記の外周刃のすくい面における径方向すくい角を１０〜２５°の範囲にすることが好ましい。
【発明の効果】
【００１５】
本発明におけるラジアスエンドミルにおいては、上記の外周刃におけるねじれ角が３０〜５０°の範囲になるように大きくしたため、外周刃における切削性が向上すると共に切り屑の排出性も向上するようになった。
【００１６】
また、本発明におけるラジアスエンドミルにおいては、底刃の平面ギャッシュからなるすくい面における軸方向すくい角を０〜１５°の範囲にしたため、この底刃を再研磨した場合に、底刃の位置が大きくずれて軸心の両側における底刃の間隔が広がるということがなく、再研磨した場合においても適切な切削が行えるようになった。
【００１７】
また、本発明におけるラジアスエンドミルにおいては、コーナ刃に外周刃との接点から底刃との接点に向かって凸曲面になったすくい面を形成するようにしたため、このすくい面における切り屑離れが良くなると共に、コーナ刃の強度を高めることができ、さらに上記のように外周刃におけるねじれ角を３０〜５０°の範囲になるように大きくした場合においても、このコーナ刃を適切な円弧状に形成できるようになった。また、この凸曲面になったすくい面のコーナ刃の法線方向における工具本体の軸を含む面に対するすくい角を５〜１５°の範囲にしたため、このコーナ刃における切削抵抗を小さくすることができた。
【００１８】
この結果、本発明におけるラジアスエンドミルにおいては、アルミニウムなどの非鉄金属を切削加工する場合においても、コーナ刃が欠損したり、切り屑が溶着したりするのが防止されて、高速での高送り切削等が適切に行えるようになった。
【００１９】
さらに、上記の外周刃のすくい面における径方向すくい角を１０〜２５°の範囲にすると、この外周刃における切削性がさらに向上し、高速での高送り切削等がより適切に行えるようになった。
【発明を実施するための最良の形態】
【００２０】
以下、この発明の実施形態に係るラジアスエンドミルを添付図面に基づいて具体的に説明する。なお、この発明におけるラジアスエンドミルは、特に下記の実施形態に示したものに限定されず、その要旨を変更しない範囲において適宜変更して実施できるものである。
【００２１】
この実施形態におけるラジアスエンドミルにおいても、図３に示すように、工具本体１０の先端において軸心の両側に形成された一対の底刃１１と、工具本体１０の外周に設けられた一対のねじれ溝１４に沿って形成された一対の外周刃１２の先端部との間に、それぞれ円弧状になったコーナ刃１３を形成するようにしている。
【００２２】
そして、この実施形態におけるラジアスエンドミルにおいては、上記のねじれ溝１４に沿って形成された外周刃１２のねじれ角θが３０〜５０°の範囲になるようにすると共に、図４に示すように、この外周刃１２のすくい面１２ａにおける径方向すくい角γが１０〜２５°の範囲になるようにしている。
【００２３】
また、この実施形態におけるラジアスエンドミルにおいては、図３及び図５（Ａ），（Ｂ）に示すように、上記の底刃１１に対して平面ギャシュを形成し、図６に示すように、底刃１１に軸方向すくい角αが０〜１５°の範囲になったすくい面１１ａを形成する一方、上記のコーナ刃１３に対しては外周刃１２との接点から底刃１１との接点に向かって凸曲面になったすくい面１３ａを形成し、図７に示すように、コーナ刃１３の法線方向において、このすくい面１３ａの工具本体１０の軸を含む面に対するすくい角βが５〜１５°の範囲になるようにしている。
【００２４】
なお、この実施形態におけるラジアスエンドミルにおいては、底刃１１全体に平面ギャシュによるすくい面１１ａが形成されると共に、コーナ刃１３全体に凸曲面になったすくい面１３ａだけが形成されるようになっているが、上記の工具本体１０の径が大きくなった場合等においては、図８に示すように、底刃１１全体には平面ギャシュによるすくい面１１ａが形成されずに、コーナ刃１３側の部分においてねじれ溝１４の溝底部が現れると共に、上記のコーナ刃１３全体には凸曲面になったすくい面１３ａが形成されずに、コーナ刃１３における底刃１１側の部分に、上記の底刃１１に対する平面ギャシュによるすくい面１１ａの形成と同時に平面になったすくい面１３ｂが形成されることがある。
【実施例】
【００２５】
次に、この発明の実施例に係るラジアスエンドミルにおいては、アルミニウムを高速で高送り切削した場合においても、切り屑が溶着したりするのが防止されることを、比較例を挙げて明らかにする。
【００２６】
実施例のラジアスエンドミルにおいては、前記の図８に示す実施形態のラジアスエンドミルにおいて、直径が１６．０ｍｍになったＫ種の超硬合金で構成された工具本体１０を用い、上記の外周刃１２のねじれ角θを４５°、この外周刃１２のすくい面１２ａにおける径方向すくい角γを２０°、上記の円弧状になったコーナ刃１３の半径を１．０ｍｍ、上記の底刃１１の平面ギャシュからなるすくい面１１ａの軸方向のすくい角αを１０°にすると共に、上記のコーナ刃１３に対して外周刃１２との接点から底刃１１との接点に向かって凸曲面になったすくい面１３ａを形成し、コーナ刃１３の法線方向におけるこのすくい面１３ａの工具本体１０の軸を含む面に対するすくい角βを１０°にした。
【００２７】
比較例のラジアスエンドミルにおいては、図１に示す従来のラジアスエンドミルのように、底刃１１とコーナ刃１３とに対して平面ギャッシュを設け、底刃１１とコーナ刃１３とに軸方向のすくい角が１０°になった同一平面からなるすくい面１１ａ，１３ａを形成するようにし、それ以外は、上記の実施例のラジアスエンドミルと同様にした。
【００２８】
そして、上記の実施例及び比較例のラジアスエンドミルを使用し、アルミニウム（Ａ５０５６）からなる被削材に対して、切削速度６００ｍ／ｍｉｎ、送り０．３ｍｍ／ｒｅｖ、切り込み１５ｍｍ、切削幅１．０ｍｍの切削条件で１時間の肩削り切削を行った。
【００２９】
この結果、比較例のラジアスエンドミルにおいては、コーナ刃１３の付近におけるすくい面１３ａに切り屑の溶着が発生していたが、実施例のラジアスエンドミルにおいては、何れの部分にも切り屑の溶着がなかった。
【図面の簡単な説明】
【００３０】
【図１】従来のラジアスエンドミルの概略説明図である。
【図２】従来のラジアスエンドミルにおけるコーナ刃付近の拡大説明図である。
【図３】本発明の一実施形態に係るラジアスエンドミルの概略説明図である。
【図４】同実施形態に係るラジアスエンドミルの縦断面説明図である。
【図５】同実施形態のラジアスエンドミルにおけるコーナ刃付近の拡大説明図である。
【図６】同実施形態のラジアスエンドミルにおける底刃のすくい面の状態を示した断面説明図である。
【図７】同実施形態のラジアスエンドミルにおけるコーナ刃のすくい面の状態を示した断面説明図である。
【図８】同実施形態のラジアスエンドミルの変更例におけるコーナ刃付近の拡大説明図である。
【符号の説明】
【００３１】
１０  工具本体
１１  底刃
１１ａ  底刃のすくい面
１２  外周刃
１２ａ  外周刃のすくい面
１３  コーナ刃
１３ａ  コーナ刃の凸曲面になったすくい面
１３ｂ  コーナ刃の平面になったすくい面
１４  ねじれ溝
θ  外周刃のねじれ角
α  底刃の軸方向すくい角
β  工具本体の軸を含む面に対するコーナ刃の法線方向のすくい角
γ  外周刃の径方向すくい角
【図１】
2006297495.tif 000003
【図２】
2006297495.tif 000004
【図３】
2006297495.tif 000005
【図４】
2006297495.tif 000006
【図５】
2006297495.tif 000007
【図６】
2006297495.tif 000008
【図７】
2006297495.tif 000009
【図８】
2006297495.tif 000010